(57)【要約】【課題】  本発明は、接続される光ファイバ同士の高精度の位置決めを可能とする光コネクタを提供する。【解決手段】  本発明は、フレーム３４に対して固定のキーリング３１を受け側光コネクタ２２のキー溝２３に挿入、係合することで位置決めを行って受け側光コネクタ２２に接続される光コネクタ３０において、キーリング３１は、キーリング本体３６と、キーリング本体３６に突設されており、キー溝２３に挿入、係合し、弾性変形可能な一対の突片３３ａ、３３ｂであるキー３３と、キーリング本体３６に突設されており、一対の突片３３ａ、３３ｂの間に位置し、一対の突片３３ａ、３３ｂの弾性変形範囲を規制するストッパ突片３８と、を備えることを特徴とする光コネクタ３０である。【選択図】  図１
2005196080.tif 000002
【特許請求の範囲】
【請求項１】
円筒状のフレームと、このフレーム内に該フレームに対する軸回りの回転を規制して収容されたフェルールとを有し、前記フレーム及び前記フェルールを受け側光コネクタに挿入するとともに、前記フレームに対して固定のキー部品を前記受け側光コネクタのキー溝に挿入、係合することで軸回りの位置決めを行って前記受け側光コネクタに接続される光コネクタにおいて、
前記キー部品は、前記フレームに固定されるベース部と、該ベース部に突設されており、前記キー溝に挿入、係合し、前記キー溝の溝幅方向に弾性変形可能な一対の突片であるキーと、前記ベース部に突設されており、前記一対の突片の間に位置し、前記一対の突片のうち少なくとも一方の突片と当接することで該突片の弾性変形を規制するストッパ突片と、を備えることを特徴とする光コネクタ。
【請求項２】
前記ストッパ突片の突出方向長さは、前記一対の突片の突出方向長さより短くなっており、前記ストッパ突片は、前記一対の突片のうち少なくとも一方の突片における、突片基端部と突片先端部との間の突片中腹部に当接することを特徴とする請求項１に記載の光コネクタ。
【請求項３】
円筒状のフレームと、このフレーム内に該フレームに対する軸回りの回転を規制して収容されたフェルールとを有し、前記フレーム及び前記フェルールを受け側光コネクタに挿入するとともに、前記フレームに対して固定のキー部品を前記受け側光コネクタのキー溝に挿入、係合することで軸回りの位置決めを行って前記受け側光コネクタに接続される光コネクタにおいて、
前記キー部品は、前記フレームに固定されるベース部と、該ベース部に突設されており、前記キー溝に挿入、係合し、前記キー溝の溝幅方向に弾性変形可能な一対の突片であるキーと、前記一対の突片に夫々設けられており、互いに当接することで該突片の弾性変形を規制するストッパ突起と、を備えることを特徴とする光コネクタ。
【発明の詳細な説明】
【技術分野】
【０００１】
本発明は、例えばＪＩＳ  Ｃ  ５９７０に制定されるＦＣ形光コネクタなど、光コネクタアダプタ等の受け側光コネクタに対する接続時に軸回りの位置決めを行う光コネクタに関する。
【背景技術】
【０００２】
従来、この種の光コネクタとして、例えば図６、７に示す構成のものが知られている（図６、７はＦＣ形光コネクタの一例を示す）。この光コネクタ１は、略円筒状のフレーム２と、該フレーム２に連結されたスリーブ状のストッパ３と、このストッパ３に組み付けられたブーツ４と、フレーム２に回転可能に外挿されたカップリングナット６と、フレーム２内に収納されたスプリング７と、フレーム２に内挿されたフェルール８とを有している。また、ストッパ３は、その内部に組み込まれる保持部品やブーツ４とともに、フェルール８に先端が収納される光ファイバ３５ａを保持して光コネクタ１から後方（図６左側）への引き抜きを防止する保持部５を構成する。
【０００３】
フェルール８は、その後端部にフランジ部９が設けられた円柱状のもので、フランジ部９の外周面には係止溝１０が９０°間隔で４箇所形成されている。これら係止溝１０は、フェルール８がフレーム２内に挿通された際、その位置決めをなすためフレーム２内側に突設された係止条１１に係止するべく形成されたもので、後述するように心出し（調心とも言う）を行う上で、係止条１１に対して選択的に係止溝１０を挿入、係合することでフェルール８の軸回りの位置決めがなされるようになっている。
【０００４】
なお、フェルール８は、係止条１１と係止溝１０との係合状態が維持される範囲でフレーム２の軸方向に若干量移動可能であり、光コネクタ１の後側に押し込まれるとスプリング７を押し縮める。スプリング７は、光コネクタ１の接続時に突き合わされるフェルール８間の突き合わせ力を発生する。また、図示しないストッパによって、フレーム２から光コネクタ１前方へのフェルール８の飛び出しは規制されている。
【０００５】
また、フレーム２の外周面にはその後端側に雄螺子部１２が形成されており、この雄螺子部１２にはカップリングナット６の後端側に形成された雌螺子部１３が螺合している。ここで、この雌螺子部１３は、カップリングナット６の後端側にて内側に突出してなる突出部１４の内周面に形成されたものとなっている。また、カップリングナット６は、その先端側の内径寸法がフレーム２の外径寸法より十分に大きくなっており、この先端側の内周面には、後述する光コネクタアダプタ２２のスリーブ部２２ａの外周面に形成された雄螺子部に螺合する雌螺子部１５が形成されている。
【０００６】
また、フレーム２の外周面には、雄螺子部１２より先端側に凸部１６が形成されている。この凸部１６は、フレーム２の周方向に沿って延びたもので、カップリングナット６の突出部１４にワッシャ１７を介して当接するようになっており、これによりカップリングナット６がフレーム２より抜け出るのが防止されている。
【０００７】
このような構成からなる光コネクタ１にあっては、例えば、一対の光コネクタ１を一般的な光コネクタアダプタ２２の両側に接続することにより、フェルール８同士の突き合わせ接続により、各光コネクタ１の光ファイバ３５ａ同士の光接続を実現できる。つまり、光コネクタ１を光コネクタアダプタ２２に接続するには、光コネクタ１のフレーム２及びフェルール８を光コネクタアダプタ２２のスリーブ部２２ａに挿入することによって、後述するように、光コネクタアダプタ２２のキー溝２３にキーリング１８のキー２７を挿入、係合し、光コネクタ１のカップリングナット６を光コネクタアダプタ２２のスリーブ部２２ａの雄螺子部に螺着する。これにより、光コネクタアダプタ２２を介して接続される各光コネクタ１のフレーム２内に位置決め保持されているフェルール８同士が、光コネクタアダプタ２２に内蔵の位置決めスリーブ等の位置決め機構によって、同一直線上に精密に位置決めして突き合わせ接続される。また、光コネクタアダプタ２２のキー溝２３とキーリング１８のキー２７との係合によって、各光コネクタ１のフェルール８間の軸回りの位置決めがなされる。
【０００８】
このような光コネクタ１では、フェルール８に挿入固定された光ファイバ３５ａ（詳細には光ファイバのコア）の光コネクタ１における位置調整（詳細にはフレーム２に対する位置調整）を行って、接続損失が充分に低くなるように最適化（調心）することが広く行われている。この場合、フェルール８内の光ファイバ３５ａとフレーム２との間の調心は、例えばモニタ装置によってその位置関係を調べ、これにより、前述のようにフランジ部９の係止溝１０とフレーム２の係止条１１との係合の組み合わせの内、光コネクタアダプタ２２を介して接続される光コネクタ１、１間での光ファイバ３５ａ同士の接続損失が最小になるところを採用して光コネクタ１を組み立てる。このようにして組み立てられた光コネクタ１同士を光コネクタアダプタ２２を介して接続すれば、各光コネクタ１のフェルール８に挿入固定されている光ファイバ３５ａ同士が低接続損失を以て突き合わせ接続される。
【０００９】
ところで、ＰＭＦ（偏波保持光ファイバ。ＰＡＮＤＡ，ＥＬＬＩＰＴＩＣＡＬ−ＣＬＡＤ。  ＰＡＮＤＡ：Ｐｏｌａｒｉｚａｔｉｏｎ  ｍａｉｎｔａｉｎｉｎｇ  ａｎｄ  ａｂｓｏｒｐｔｉｏｎ  ｒｅｄｕｃｉｎｇ  ｆｉｂｅｒ）の接続に用いる場合や、ＡＰＣ（Ａｎｇｌｅｄ  Ｐｈａｓｅ  Ｃｏｎｔａｃｔ）研磨タイプのフェルールを採用した場合など、特に高い位置決め精度が要求される光コネクタ１にあっては、製造メーカーや使用フェルールの種類に基づく規格などによって、光コネクタ１のキー２７や光コネクタ１が接続される光コネクタアダプタ２２のキー溝２３のサイズ（溝幅）に違いがあるため、使用する光コネクタ１や光コネクタアダプタ２２の選定を行う必要があり、不便であるといった問題があった。
【００１０】
また、接続時の位置決め精度を高めるために、光コネクタアダプタ２２のキー溝２３と光コネクタ１のキー２７の寸法公差を厳しくすることが行われているが、精密加工を要し、加工コストが光コネクタ１のコストに大きく跳ね返ってしまうといった不満があった。
【００１１】
また、ＦＣ形光コネクタの場合、光コネクタアダプタ２２に固定する方式がネジ式（前述のカップリングナット６の螺着）であるため、キー２７とキー溝２３との間に若干のクリアランスが存在する場合（要求される位置決め精度があまり高くない場合）、光コネクタアダプタ２２に対する着脱の際にネジ（カップリングナット）の回転操作によってキー溝２３内でキー２７が動いてしまい、これが原因になって、フェルール８先端に露出されている光ファイバ３５ａ先端を傷付けてしまうなど、光ファイバ３５ａやフェルール８に悪影響を与える可能性があるため、これを確実に防止できる技術の開発が求められていた。
【００１２】
これに対応すべく、本発明者等は、図８（ａ）、（ｂ）におけるように、キーリング１８のキー１９が、キーリング本体２０から突出する一対の突片１９ａ、１９ｂによって形成されており、２つの突片１９ａ、１９ｂの間には、スリット状のクリアランス（変形用空間）２１が確保されている技術を既に提案している（例えば、特許文献１参照。）。このキーリング１８においては、キー１９の幅方向の寸法Ｗ１、つまり、一方の突片１９ａのスリット２１とは逆側の側面と、他方の突片１９ｂのスリット２１とは逆側の側面との間の距離は、一方又は両方の突片１９ａ、１９ｂの弾性変形によって縮小可能であり、光コネクタアダプタ２２におけるキー溝２３の溝幅に対応して、キー１９をキー溝２３に挿入可能となり、これにより、光コネクタアダプタ２２におけるキー溝２３と、光コネクタ１におけるキー１９との寸法公差や種類の違い等に対応可能となり、ガタ付きがなく、接続される光ファイバ同士の高精度の位置決めが可能となる。
【特許文献１】特開２００３−９８３８５号公報
【発明の開示】
【発明が解決しようとする課題】
【００１３】
しかしながら、この従来技術においては、光コネクタアダプタ２２におけるキー溝２３に対して、光コネクタ１におけるキー１９の抜き差しを繰り返した場合、一対の突片１９ａ、１９ｂにおける基端部２４ａ、２４ｂが傷み易く、キー１９の耐久性に問題があった。
【００１４】
また、１本の突片１９ａは、図７に示す光コネクタ１のキー２７に比べて細いため、前記キー２７に比べて曲げ耐力が劣る。このため、例えば、光コネクタアダプタ２２のキー溝２３に光コネクタ１のキー１９を斜め差ししたり、光コネクタアダプタ２２のキー溝２３に光コネクタ１のキー１９を挿入した状態で、カップリングナット６を必要以上に強く締め付けてしまった場合に、一対の突片１９ａ、１９ｂに降伏点を超えた曲げが与えられて、変形が戻らなくなったり、所望の機械的特性が得られなくなってしまう等の不都合が生じやすくなるという問題があった。前述のような不都合が生じた場合、接続される光ファイバ同士の高精度の位置決めができなくなる等の影響が出ることは言うまでもない。
【００１５】
本発明は、以上のような従来技術における問題点を解決するものであって、光コネクタアダプタ等の受け側光コネクタにおけるキー溝に挿入、係合される、光コネクタにおけるキーとしての一対の突片のうち少なくとも一方の突片に曲げ限界を設定して、一対の突片が傷むことを防止でき、接続される光ファイバ同士の高精度の位置決めを可能とする光コネクタを提供することを目的としている。
【課題を解決するための手段】
【００１６】
以上の目的のため、本発明は、円筒状のフレームと、このフレーム内に該フレームに対する軸回りの回転を規制して収容されたフェルールとを有し、前記フレーム及び前記フェルールを受け側光コネクタに挿入するとともに、前記フレームに対して固定のキー部品を前記受け側光コネクタのキー溝に挿入、係合することで軸回りの位置決めを行って前記受け側光コネクタに接続される光コネクタにおいて、
前記キー部品は、前記フレームに固定されるベース部と、該ベース部に突設されており、前記キー溝に挿入、係合し、前記キー溝の溝幅方向に弾性変形可能な一対の突片であるキーと、前記ベース部に突設されており、前記一対の突片の間に位置し、前記一対の突片のうち少なくとも一方の突片と当接することで該突片の弾性変形を規制するストッパ突片と、を備えることを特徴とする光コネクタである。
【００１７】
この発明によれば、例えば、キー溝に対してキーを斜め差ししたり、キー溝に対してキーを挿入した状態で、ＦＣ型光コネクタにおけるカップリングナットを回転させて締け付けた場合に、一対の突片のうち少なくとも一方の突片がストッパ突片と当接することで、前記少なくとも一方の突片の弾性変形が規制されるので、該突片が、その降伏点を超えて曲がることが防止され、キーの耐久性を向上できる。これにより、一対の突片を傷めることを防止して、受け側光コネクタに対する光コネクタの位置ずれを防止し、接続される光ファイバ同士の高精度の位置決めを可能とできる。
【００１８】
また、本発明において、前記ストッパ突片の突出方向長さは、前記一対の突片の突出方向長さより短くなっており、前記ストッパ突片は、前記一対の突片のうち少なくとも一方の突片における、突片基端部と突片先端部との間の突片中腹部に当接しても良い。
【００１９】
この発明によれば、ストッパ突片が短いため、ストッパ突片は耐曲げモーメントの点で突片よりも有利であり、一対の突片の補強に有効である。
【００２０】
また、本発明は、円筒状のフレームと、このフレーム内に該フレームに対する軸回りの回転を規制して収容されたフェルールとを有し、前記フレーム及び前記フェルールを受け側光コネクタに挿入するとともに、前記フレームに対して固定のキー部品を前記受け側光コネクタのキー溝に挿入、係合することで軸回りの位置決めを行って前記受け側光コネクタに接続される光コネクタにおいて、前記キー部品は、前記フレームに固定されるベース部と、該ベース部に突設されており、前記キー溝に挿入、係合し、前記キー溝の溝幅方向に弾性変形可能な一対の突片であるキーと、前記一対の突片に夫々設けられており、互いに当接することで該突片の弾性変形を規制するストッパ突起と、を備えることを特徴とする光コネクタである。
【００２１】
この発明によれば、例えば、キー溝に対してキーを斜め差ししたり、キー溝に対してキーを挿入した状態で、ＦＣ型光コネクタにおけるカップリングナットを回転させて締け付けた場合に、ストッパ突起同士が当接することで、少なくとも一方の突片の弾性変形が規制されるので、該突片が、その降伏点を超えて曲がることが防止され、キーの耐久性を向上できる。これにより、一対の突片を傷めることを防止して、受け側光コネクタに対する光コネクタの位置ずれを防止し、接続される光ファイバ同士の高精度の位置決めを可能とできる。
【発明の効果】
【００２２】
本発明によれば、例えば、キー溝に対してキーを斜め差ししたり、キー溝に対してキーを挿入した状態で、ＦＣ型光コネクタにおけるカップリングナットを回転させて締け付けた場合に、前記少なくとも一方の突片の弾性変形が規制されるので、該突片が、その降伏点を超えて曲がることが防止され、キーの耐久性を向上できる。これにより、一対の突片を傷めることを防止して、受け側光コネクタに対する光コネクタの位置ずれを防止し、接続される光ファイバ同士の高精度の位置決めを可能とできる。
【発明を実施するための最良の形態】
【００２３】
以下、本発明の実施の形態を、図面を参照にして説明する。
図１は本発明の光コネクタの一実施形態を説明するための図であり、図１中符号３０は光コネクタである。本例の光コネクタ３０において、図２（ａ）、図３（ａ）に示すように、キー部品としてのキーリング３１は、一部が切り欠かれて（切欠部に符号３６を付す）不連続となったリング状のキーリング本体（ベース部）３２と、このキーリング本体３２の一方の側に延び出す一対の突片であるキー３３とからなる金属製の部品である。キーリング３１に関しては、後で、詳細に述べる。キーリング３１は、光コネクタ３０を組み立てる際に、フレーム３４の外周面上に外挿されてフレーム３４の軸回りの回転によって、フレーム３４に対する固定位置の位置決めを行えるようになっている。このキーリング３１は、フレーム３４の軸回りの回転によって位置決めした後、接着剤による接着固定などによってフレーム３４に固定される。
【００２４】
光コネクタ３０は、光コネクタアダプタ２２に対して接続できる。光コネクタ３０の接続対象は光コネクタアダプタ２２に限定されず、例えば、光コネクタレセプタクル等の各種光コネクタ（受け側光コネクタ。）を採用できる。
【００２５】
受け側光コネクタとして光コネクタアダプタ２２を採用し、この光コネクタアダプタ２２を介して一対の光コネクタ３０を接続する場合を例に説明すると、スリーブ部２２ａの両側に光コネクタ３０を接続することで、光コネクタアダプタ２２内で各光コネクタ３０のフェルール８同士が突き合わせ接続され、各フェルール８に挿入固定されている光ファイバ３５ａ（光ファイバコード等である光ファイバ３５先端に口出しされた光ファイバ。ここでは裸光ファイバ）同士が光接続される。但し、光コネクタ３０のフェルール８の突き合わせ接続される相手側のフェルールに対する軸回りの位置決め、換言すれば、この例における光コネクタ３０のスリーブ部２２ａに対する軸回りの位置決めは、フレーム３４外側に接着固定しておいたキーリング３１のキー３３をスリーブ部２２ａのキー溝２３に挿入、係合することによってなされる。
【００２６】
なお、光コネクタレセプタクル等、光コネクタアダプタ２２以外の受け側光コネクタの場合も、光コネクタ３０のキーリング３１のキー３３が受け側光コネクタ側のキー溝に挿入、係合されることで光コネクタ３０の軸回りの位置決めがなされて、受け側光コネクタ側のフェルールと光コネクタ３０側のフェルール８とが突き合わせ接続される構成となる。
【００２７】
この光コネクタ３０では、その組み立て工程において、フェルール８に挿入固定されている光ファイバ３５ａの調心を、前に述べたような図６のフレームの係止条に係合するフランジ部の係止溝の選択に加えて、フレーム３４の軸回り方向（換言すれば周方向）でのキーリング３１の固定位置を調整することによって高い調心精度を容易に得ることができ、これにより、接続損失の低減等を実現できる。
【００２８】
次に、本発明の要旨であるキー３３について、詳細に説明する。
図２（ａ）〜（ｄ）は、本発明の第１実施の形態による光コネクタ１におけるキーリング３１を示している。
本発明の第１実施の形態によるキーリング３１は、フレーム３４に外挿されるキーリング本体３２と、キーリング本体３２に突設されており、受け側光コネクタ２２のキー溝２３に挿入、係合し、キー溝２３の溝幅方向に弾性変形可能な一対の突片３３ａ、３３ｂであるキー３３と、キーリング本体３２に突設されており、一対の突片３３ａ、３３ｂの間のスリット３７に位置し、一対の突片３３ａ、３３ｂのうち少なくとも一方の突片と当接して、該突片の弾性変形を規制するストッパ突片３８と、を備えている。
一対の突片３３ａ、３３ｂは弾性変形可能であるので、種々のキー溝２３の溝幅の違いを吸収できるため、光コネクタアダプタ２２の種類等による溝幅の違いに対する汎用性を有する。
【００２９】
ストッパ突片３８は、細長い棒形状をしていて、ストッパ突片３８の突出方向長さは、一対の突片３３ａ、３３ｂの突出方向長さより短くなっており、ストッパ突片３８は、一対の突片３３ａ、３３ｂにおける、突片基端部３９ａ、３９ｂと突片先端部４０ａ、４０ｂとの間の突片中腹部４１ａ、４１ｂに当接するものである。
【００３０】
また、一対の突片３３ａ、３３ｂにおける、ストッパ突片３８に当接する側の内側面４２ａ、４２ｂは、段差のない平面となっており、ストッパ突片３８と平行に延びるものである。
【００３１】
図２（ｃ）におけるように、キー３３としての一対の突片３３ａ、３３ｂが、受け側光コネクタ２２におけるキー溝２３に挿入された場合、一対の突片３３ａ、３３ｂの各々は、ストッパ突片３８の先端部に当接することで（一対の突片３３ａ、３３ｂの先端部同士は当接しない）、ストッパ突片３８により、一対の突片３３ａ、３３ｂの弾性変形が規制される。
【００３２】
また、本発明の第１実施の形態では、キー３３としての一対の突片３３ａ、３３ｂが、受け側光コネクタ２２におけるキー溝２３に挿入された場合、一対の突片３３ａ、３３ｂの各々は、ストッパ突片３８には当接しないこともあり得る。この場合、図２（ｄ）におけるように、キー溝２３に対してキー３３を斜め差ししたり、カップリングナット６の締め付け力が過剰になった場合に、一対の突片３３ａ、３３ｂのうち一方の突片のみがストッパ突片３８に当接することで、ストッパ突片３８により、一対の突片３３ａ、３３ｂのうち一方の突片の弾性変形が規制される。
【００３３】
図３（ａ）〜（ｄ）は、本発明の第２実施の形態による光コネクタ１におけるキーリング３１を示している。
本発明の第２実施の形態によるキーリング３１は、フレーム３４に外挿されるキーリング本体３２と、キーリング本体３２に突設されており、受け側光コネクタ２２のキー溝２３に挿入、係合し、キー溝２３の溝幅方向に弾性変形可能な一対の突片３３ａ、３３ｂであるキー３３と、キーリング本体３２に突設されており、一対の突片３３ａ、３３ｂの間のスリット４７に位置し、一対の突片３３ａ、３３ｂがキー溝２３に挿入、係合された際に、一対の突片３３ａ、３３ｂのうち少なくとも一方の突片と当接して該突片の弾性変形を規制するストッパ突片４３と、を備えている。
一対の突片３３ａ、３３ｂは弾性変形可能であるので、種々のキー溝２３の溝幅の違いを吸収できるため、光コネクタアダプタ２２の種類等による溝幅の違いに対する汎用性を有する。
【００３４】
ストッパ突片４３は、本発明の第１実施の形態と比較して、幅広の棒形状をしていて、ストッパ突片４３の突出方向長さは、一対の突片３３ａ、３３ｂの突出方向長さより短くなっている。
【００３５】
一対の突片３３ａ、３３ｂにおける、ストッパ突片４３に当接する側の内側面４８ａ、４８ｂは、突片基端部４５ａ、４５ｂと突片先端部４４ａ、４４ｂとの間に段差４６ａ、４６ｂがあり、突片基端部４５ａ、４５ｂより突片先端部部４４ａ、４４ｂが幅広となっており、一対の突片３３ａ、３３ｂ間のスリット４７は、突片基端部４５ａ、４５ｂ側が突片先端部４４ａ、４４ｂ側より幅広となっていて、スリット４７における突片基端部４５ａ、４５ｂ側内に、ストッパ突片４３が位置している。
【００３６】
図３（ｃ）におけるように、キー３３としての一対の突片３３ａ、３３ｂが、受け側光コネクタ２２におけるキー溝２３に挿入された場合、一対の突片３３ａ、３３ｂの各々は、ストッパ突片４３の先端部に当接することで、ストッパ突片４３により、一対の突片３３ａ、３３ｂの弾性変形が規制される。
【００３７】
また、キー３３としての一対の突片３３ａ、３３ｂが、受け側光コネクタ２２におけるキー溝２３に挿入された場合、一対の突片３３ａ、３３ｂの各々は、ストッパ突片４３の先端部に当接しないこともあり得る。この場合、図３（ｄ）におけるように、キー溝２３に対してキー３３を斜め差ししたり、カップリングナット６の締め付け力が過剰になった場合に、一対の突片３３ａ、３３ｂのうち一方の突片のみがストッパ突片４３に当接することで、ストッパ突片４３により、一対の突片３３ａ、３３ｂのうち一方の突片の弾性変形が規制される。
【００３８】
また、スリット４７が突片基端部４５ａ、４５ｂ側に入り込んで設けられ、スリット４７内にストッパ突片４３が設けられているため、本発明の第１実施の形態におけるストッパ突片３８より、本発明の第２実施の形態におけるストッパ突片４３を幅広とでき、ストッパ突片４３が一対の突片３３ａ、３３ｂを充分に補強できるので、たとえ、キー溝２３に対してキー３３を斜め差ししたり、キー溝２３に対してキー３３を挿入した状態で、ＦＣ型光コネクタにおけるカップリングナット６を回転させて締け付けした場合に、ストッパ突片４３が一対の突片３３ａ、３３ｂのうち少なくとも一方の突片に当接して該突片を補強し、一対の突片３３ａ、３３ｂの破損等を防止して、受け側光コネクタ２２に対する光コネクタ１の位置ずれを防止し、接続される光ファイバ同士の高精度の位置決めを可能とできる。
【００３９】
図４、５は、本発明の第３実施の形態による光コネクタにおけるキーリング３１を示している。
図４に示したキーリング３１は、フレーム３４に外挿されるキーリング本体３２と、キーリング本体３２に突設されており、受け側光コネクタ２２のキー溝２３に挿入、係合し、キー溝２３の溝幅方向に弾性変形可能な一対の突片３３ａ、３３ｂであるキー３３とを備えている。一対の突片３３ａ、３３ｂの内側（スリット３７側）には、突片基端部４９ａ、４９ｂと突片先端部５０ａ、５０ｂとの間に段差が形成され、突片基端部４９ａ、４９ｂが突片先端部５０ａ、５０ｂより幅広となっていて、この段差により、突片中腹部５１ａ、５１ｂが突片先端部５０ａ、５０ｂより突出し、互いに当接するストッパ突起５２ａ、５２ｂとなっている。
【００４０】
図５に示したキーリング３１は、フレーム３４に外挿されるキーリング本体３２と、キーリング本体３２に突設されており、受け側光コネクタ２２のキー溝２３に挿入、係合し、キー溝２３の溝幅方向に弾性変形可能な一対の突片３３ａ、３３ｂであるキー３３とを備えている。一対の突片３３ａ、３３ｂの内側（スリット３７側）には、突片基端部４９ａ、４９ｂと突片先端部部５０ａ、５０ｂとの間の突片中腹部５１ａ、５１ｂに、円弧状のストッパ突起５２ａ、５２ｂが形成され、これらのストッパ突起５２ａ、５２ｂは、互いに当接可能となっている。
【００４１】
図４、５に示したキーリング３１において、キー３３としての一対の突片３３ａ、３３ｂが、受け側光コネクタ２２におけるキー溝２３に挿入された場合、一対の突片３３ａ、３３ｂにおけるストッパ突起５２ａ、５２ｂ同士が、互いに当接することで、一対の突片３３ａ、３３ｂの弾性変形が規制される。
【００４２】
また、キー溝２３に対してキー３３を斜め差ししたり、カップリングナット６の締め付け力が過剰になった場合に、一対の突片３３ａ、３３ｂにおけるストッパ突起５２ａ、５２ｂ同士が、互いに当接することで、一対の突片３３ａ、３３ｂの弾性変形が規制される。
【図面の簡単な説明】
【００４３】
【図１】本発明の実施の形態による光コネクタを示す斜視図である。
【図２】本発明の第１実施の形態によるキーリングを示す図である。
【図３】本発明の第２実施の形態によるキーリングを示す図である。
【図４】本発明の第３実施の形態によるキーリングを示す図である。
【図５】本発明の第３実施の形態によるキーリングを示す図である。
【図６】従来技術としての光コネクタを示す図である。
【図７】従来技術としてのキーリングを示す斜視図である。
【図８】従来技術としてのキーリングを示す図である。
【符号の説明】
【００４４】
１‥‥光コネクタ、８‥‥フェルール、２２‥‥受け側光コネクタ、２３‥‥キー溝、３０‥‥光コネクタ、３１‥‥キーリング（キー部品）、３２‥‥キーリング本体（ベース部）、３３ａ、３３ｂ‥‥一対の突片、３３‥‥キー、３８‥‥ストッパ突片、３９ａ、３９ｂ‥‥突片基端部、４０ａ、４０ｂ‥‥突片先端部、４１ａ、４１ｂ‥‥突片中腹部、４３‥‥ストッパ突片、４５ａ、４５ｂ‥‥突片基端部、５２ａ、５２ｂ‥‥ストッパ突起
【図１】
2005196080.tif 000003
【図２】
2005196080.tif 000004
【図３】
2005196080.tif 000005
【図４】
2005196080.tif 000006
【図５】
2005196080.tif 000007
【図６】
2005196080.tif 000008
【図７】
2005196080.tif 000009
【図８】
2005196080.tif 000010